(57)【要約】【課題】直線施工のみならずカーブ施工または方向修正が可能なものであるのに、前後方向で複数に分割しない単一の機体で施工可能なもので、製作コストも安価ですみ、操作も簡易なものである簡易オープンシールド機を提供する。【解決手段】機体側部を外側に出っ張るように湾曲させ、先端に刃口１７を有する掘削部２０を機体前側に、函体設置部２１を機体後側に設け、機体内で後方へ向けてシールドジャッキ５を左右に配設した。【選択図】図１
2018053464.tif 000002
【特許請求の範囲】
【請求項１】
機体側部を外側に出っ張るように湾曲させ、先端に刃口を有する掘削部を機体前側に、函体設置部を機体後側に設け、機体内で後方へ向けてシールドジャッキを左右に配設したことを特徴とする簡易オープンシールド機。
【請求項２】
外側に出っ張るように湾曲させる機体側部は地山と点接触する請求項１記載の簡易オープンシールド機。
【請求項３】
左右に配設したシールドジャッキは油圧駆動系統を個別独立させた請求項１または請求項２記載の簡易オープンシールド機。
【請求項４】
シールドジャッキはオープンシールド機機体に角度可変に係合する請求項１ないし請求項３のいずれかに記載の簡易オープンシールド機。
【発明の詳細な説明】
【技術分野】
【０００１】
本発明は、オープンシールド工法に使用する簡易オープンシールド機に関するものである。
【背景技術】
【０００２】
周知のごとくオープンシールド工法は、開削工法（オープン工法）とシールド工法の長所を生かした合理性に富む工法である。
【０００３】
先にこのオープンシールド工法では、シールド機を前方の機体の後端に後方の機体の前端が嵌入して、相互の嵌合部で屈曲可能としてカーブ施工を可能としたり、方向修正を行えるようにしたものがある。
【０００４】
その一例を説明すると、下記特許文献にもあるが、オープンシールド機１は、図７に示すように基本的には左右の側壁板１ａ，１ｂとこれら側壁板１ａ，１ｂと同程度の長さでその間を連結する底板１ｃとからなる前面、後面及び上面を開口したシールド機である。
【特許文献１】特許第５２４３１５０８号公報
【０００５】
該オープンシールド機１は図８に示すように矩形機体を前後方向で複数に分割し、フロント部２としての前方の機体の後端にテール部３としての後方の機体の前端が嵌入して、相互の嵌合部で屈曲可能とした。
【０００６】
フロント部２は主として掘削を行うもので、前端と上面を開放面としてあり、矩形機体内で後部に後方へ向けて中折ジャッキ４を左右によせて、また上下複数段に配設している。
【０００７】
これに対してテール部３はコンクリート函体８の設置を行うもので、機体内で前部に後方へ向けてシールドジャッキ５を左右によせて、また上下複数段に配設している。図中６はフロント部２の前端に設けたスライド土留め（可動分割刃口）、７はテール部３の後端に設けた土留板、９はストラット、１０はプレスバー（押角）である。
【０００８】
このようなオープンシールド機１を使用するオープンシールド工法は、図９〜図１２に示すように、発進坑と到達坑との間で施工される。発進坑１１内で前記オープンシールド機を組立て、発進坑１１の前の地盤を地上に設置したシャベル系の掘削機１２で掘削し、該オープンシールド機１のシールドジャッキ５を伸長して発進坑１１内の反力壁に反力をとってオープンシールド機１を前進させ、地下構造物を形成する第１番目のコンクリート函体８を上方から吊り降し、オープンシールド機１のテール部３内で縮めたシールドジャッキ５の後方にストラット９およびプレスバー１０とともにセットする。
【０００９】
また、発進坑１１はシートパイル等の土留壁で構成し、オープンシールド機１を発進させるにはこの土留壁を一部鏡切りするが、必要に応じて薬液注入等で発進坑１１の前方部分に地盤改良を施しておくこともある。
【００１０】
次いで、同様にバックホウ等の掘削機１２でフロント部２の前面又は上面から土砂を掘削しかつ排土してオープンシールド機１を前進させ、前記第１番目のコンクリート函体８の前に第２番目のコンクリート函体８をテール部３内に吊り降す。以下、同様の掘進及びコンクリート函体８のセット工程を繰返して、順次コンクリート函体８を縦列に地中に埋設し、後方のコンクリート函体８上にダンプ１４で埋戻しを施し、オープンシールド機１が到達坑１３まで達したならばこれを分解・撤去して工事を完了する。図中１５はグラウト機である。
【００１１】
ところで、オープンシールド機１の掘進はシールドジャッキ５を伸長だけでなく、このシールドジャッキ５を固定して中折ジャッキ４の伸長でテール部３に対してフロント部２を進めることでも行なわれ、シールドジャッキ５と中折ジャッキ４との２段階で押し進める。
【００１２】
その際、中折ジャッキ４のうち、左右いずれかを多く伸長させればフロント部２はその反対側に向きを変え、その方向に曲がる。また、上下いずれかを多く伸長させればフロント部２はその反対側に向きを変え、上向きまたは下向きに曲がる。このようにしたカーブ施工または方向修正が可能である。
【発明の開示】
【発明が解決しようとする課題】
【００１３】
前記オープンシールド工法に於いて使用されるオープンシールド機１はカーブ施工または方向修正が可能なように、矩形機体を前後方向で複数に分割し、フロント部２としての前方の機体の後端にテール部３としての後方の機体の前端が嵌入して、相互の嵌合部で屈曲可能としたものであり、このように複数に機体を分割し、これらを組み合わせるのでは、製作費が高くなり、また、操作も複雑なものとなる。
【００１４】
本発明の目的は前記従来例の不都合を解消し、直線施工のみならずカーブ施工または方向修正が可能なものであるのに、前後方向で複数に分割しない単一の機体で施工可能なもので、製作コストも安価ですみ、操作も簡易なものである簡易オープンシールド機を提供することにある。
【課題を解決するための手段】
【００１５】
前記目的を達成するため請求項１記載の本発明は、機体側部を外側に出っ張るように湾曲させ、先端に刃口を有する掘削部を機体前側に、函体設置部を機体後側に設け、機体内で後方へ向けてシールドジャッキを左右に配設したことを要旨とするものである。
【００１６】
請求項１記載の本発明によれば、機体側部を外側に出っ張るように湾曲させたことにより、方向転換し易いものとなり、左右のシールドジャッキの伸長度合いを変えることでより長く伸ばすシールドジャッキと反対側にオープンシールド機全体の向きを変えることで、直線施工のみならずカーブ施工または方向修正が可能なものとなる。
【００１７】
請求項２記載の本発明は、外側に出っ張るように湾曲させる機体側部は地山と点接触することを要旨とするものである。
【００１８】
請求項２記載の本発明によれば、外側に出っ張るように湾曲させる機体側部は地山と点接触することにより、方向転換がこの点接触する地山を支点として方向を変換することができる。また、直線施工する場合にもオープンシールド機は地山と機体側部は点接触するだけなので、大きな摩擦抵抗なく推進させることができる。
【００１９】
請求項３記載の本発明は、左右に配設したシールドジャッキは油圧駆動系統を個別独立させたことを要旨とするものである。
【００２０】
請求項３記載の本発明によれば、左右に配設したシールドジャッキは相互に伸長の長さを異ならせるのに個別独立させた油圧駆動系統により簡単かつ確実に行うことができる。
【００２１】
請求項４記載の本発明は、シールドジャッキはオープンシールド機機体に角度可変に係合することを要旨とするものである。
【００２２】
請求項４記載の本発明によれば、方向転換なされ、機体の向きが変わった場合でもシールドジャッキはその変化に対応して向きを変えることができる。
【発明の効果】
【００２３】
以上述べたように本発明のオープンシールド機は、直線施工のみならずカーブ施工または方向修正が可能なものであるのに、前後方向で複数に分割しない単一の機体で施工可能なもので、製作コストも安価ですみ、操作も簡易なものである。
【発明を実施するための形態】
【００２４】
以下、図面について本発明の実施の形態を詳細に説明する。図１、図２は本発明のオープンシールド機の第１実施形態を示す平面図である。
【００２５】
オープンシールド機１は前記従来例と同じく、左右の側壁板１ａ，１ｂとこれら側壁板１ａ，１ｂと同程度の長さでその間を連結する底板１ｃとからなる前面、後面及び上面を開口したシールド機である。
【００２６】
本発明のオープンシールド機１は、機体を前後方向で複数に分割せずに前後一体とし、先端に刃口１７を有する掘削部２０を機体前側に、函体設置部２１を機体後側に設けた。
【００２７】
オープンシールド機１は、機体側部を外側に出っ張るようにゆるやかなカーブαを描いて湾曲させ、地山Ａとは点接触β（もしくはわずかな幅の面接触）するようにした。
【００２８】
図中Ｂはシールド機最大幅であるが、オープンシールド機１の先端と後端とはこのシールド機最大幅Ｂに対して多少縮径するもので、前記点接触βの部分はオープンシールド機１の前後方向中央部であり、シールド機最大幅Ｂと同幅である。
【００２９】
機体内で後方へ向けてシールドジャッキ５を左右に配設した。該シールドジャッキ５はロッド５ａが函体設置部２１に突き出るように配置する。
【００３０】
図３〜図６は本発明の第２実施形態を示すもので、シールドジャッキ５はオープンシールド機１の機体に角度可変に係合するものとした。
【００３１】
角度可変に係合する手段として実施形態はオープンシールド機１の機体側に設ける支圧板１８にＲ形状の係合凹部１９を設け、ここにシールドジャッキ５のシリンダーヘッドの球形頭部５ｂをこの係合凹部１９に嵌合させる。
【００３２】
さらに、シールドジャッキ５を支承するジャッキ台２２はこれを支圧板１８に設けるが、ジャッキ受部２３はこれを回転可能なターテーブル式とし、また、樋状の受けでシールドジャッキ５の上下向きの変化も拘束しないものとする。
【００３３】
図中１０はプレスバー（押角）であり、これはシールドジャッキ５のロッド５ａとはピポット的軸結合により結合する。
【００３４】
なお、左右のシールドジャッキ５はその油圧駆動系統を個別独立させることが望ましい。
【００３５】
次に使用法について説明する。オープンシールド工法の概要については、前記図９〜図１２で説明した通りである。
【００３６】
図１は直線施工時を示すもので、発進坑１１の前の地盤を地上に設置したシャベル系の掘削機で掘削し、該オープンシールド機１のシールドジャッキ５を伸長してコンクリート函体８に反力をとってオープンシールド機１を前進させる際には、左右のシールドジャッキ５は左右の伸長速度を同じものとする。
【００３７】
これによりオープンシールド機１は直線施工で掘進する。
【００３８】
図２は曲線施工時を示すもので、左右のシールドジャッキ５は左右の伸長速度を異ならせ、機体側部は地山Ａと点接触βすることにより、方向転換がこの点接触する地山Ａを支点としてシールドジャッキ５の向きを変えて掘進させることができる。
【００３９】
シールドジャッキ５はオープンシールド機１の機体に角度可変に係合するものとした場合は図５に示すようにシールドジャッキ５の向きがオープンシールド機１の機体に対して図４の直線施工とは変わるので、無理のない推進を継続することができる。
【図面の簡単な説明】
【００４０】
【図１】本発明のオープンシールド機の第１実施形態を示す直線施工時の平面図である。
【図２】本発明のオープンシールド機の第１実施形態を示す曲線施工時の平面図である。
【図３】本発明のオープンシールド機の第２実施形態を示す曲線施工時の平面図である。
【図４】第２実施形態における直線施工時の部分平面図である。
【図５】第２実施形態における曲線施工時の部分平面図である。
【図６】第２実施形態における部分側面図である。
【図７】オープンシールド機の概要を示す縦断正面図である。
【図８】オープンシールド機の概要を示す縦断側面図である。
【図９】オープンシールド工法の第１工程を示す側面図である。
【図１０】オープンシールド工法の第２工程を示す側面図である。
【図１１】オープンシールド工法の第３工程を示す側面図である。
【図１２】オープンシールド工法の第４工程を示す側面図である。
【符号の説明】
【００４１】
１…オープンシールド機
１ａ，１ｂ…側壁板            １ｃ…底板
２…フロント部                ３…テール部
４…中折ジャッキ              ５…シールドジャッキ
５ａ…ロッド                  ５ｂ…球形頭部
６…可動分割刃口              ７…土留板
８…コンクリート函体          ９…ストラット
１０…プレスバー              １１…発進坑
１２…掘削機                  １３…到達坑
１４…ダンプ                  １５…グラウト機
１７…刃口                    １８…支圧板
１９…係合凹部
２０…掘削部                  ２１…函体設置部
２２…ジャッキ台              ２３…ジャッキ受部
【図１】
2018053464.tif 000003
【図２】
2018053464.tif 000004
【図３】
2018053464.tif 000005
【図４】
2018053464.tif 000006
【図５】
2018053464.tif 000007
【図６】
2018053464.tif 000008
【図７】
2018053464.tif 000009
【図８】
2018053464.tif 000010
【図９】
2018053464.tif 000011
【図１０】
2018053464.tif 000012
【図１１】
2018053464.tif 000013
【図１２】
2018053464.tif 000014
【手続補正書】
【提出日】平成30年2月13日(2018.2.13)
【手続補正１】
【補正対象書類名】明細書
【補正対象項目名】全文
【補正方法】変更
【補正の内容】
【発明の詳細な説明】
【技術分野】
【０００１】
本発明は、オープンシールド工法に使用するオープンシールド機に関するものである。
【背景技術】
【０００２】
周知のごとくオープンシールド工法は、開削工法（オープン工法）とシールド工法の長所を生かした合理性に富む工法である。
【０００３】
先にこのオープンシールド工法では、シールド機を前方の機体の後端に後方の機体の前端が嵌入して、相互の嵌合部で屈曲可能としてカーブ施工を可能としたり、方向修正を行えるようにしたものがある。
【０００４】
その一例を説明すると、下記特許文献にもあるが、オープンシールド機１は、図５に示すように基本的には左右の側壁板１ａ，１ｂとこれら側壁板１ａ，１ｂと同程度の長さでその間を連結する底板１ｃとからなる前面、後面及び上面を開口したシールド機である。
【特許文献１】特許第５２４３１５０８号公報
【０００５】
該オープンシールド機１は図６に示すように矩形機体を前後方向で複数に分割し、フロント部２としての前方の機体の後端にテール部３としての後方の機体の前端が嵌入して、相互の嵌合部で屈曲可能とした。
【０００６】
フロント部２は主として掘削を行うもので、前端と上面を開放面としてあり、矩形機体内で後部に後方へ向けて中折ジャッキ４を左右によせて、また上下複数段に配設している。
【０００７】
これに対してテール部３はコンクリート函体８の設置を行うもので、機体内で前部に後方へ向けてシールドジャッキ５を左右によせて、また上下複数段に配設している。図中６はフロント部２の前端に設けたスライド土留め（可動分割刃口）、７はテール部３の後端に設けた土留板、９はストラット、１０はプレスバー（押角）である。
【０００８】
このようなオープンシールド機１を使用するオープンシールド工法は、図７〜図１０に示すように、発進坑と到達坑との間で施工される。発進坑１１内で前記オープンシールド機を組立て、発進坑１１の前の地盤を地上に設置したシャベル系の掘削機１２で掘削し、該オープンシールド機１のシールドジャッキ５を伸長して発進坑１１内の反力壁に反力をとってオープンシールド機１を前進させ、地下構造物を形成する第１番目のコンクリート函体８を上方から吊り降し、オープンシールド機１のテール部３内で縮めたシールドジャッキ５の後方にストラット９およびプレスバー１０とともにセットする。
【０００９】
また、発進坑１１はシートパイル等の土留壁で構成し、オープンシールド機１を発進させるにはこの土留壁を一部鏡切りするが、必要に応じて薬液注入等で発進坑１１の前方部分に地盤改良を施しておくこともある。
【００１０】
次いで、同様にバックホウ等の掘削機１２でフロント部２の前面又は上面から土砂を掘削しかつ排土してオープンシールド機１を前進させ、前記第１番目のコンクリート函体８の前に第２番目のコンクリート函体８をテール部３内に吊り降す。以下、同様の掘進及びコンクリート函体８のセット工程を繰返して、順次コンクリート函体８を縦列に地中に埋設し、後方のコンクリート函体８上にダンプ１４で埋戻しを施し、オープンシールド機１が到達坑１３まで達したならばこれを分解・撤去して工事を完了する。図中１５はグラウト機である。
【００１１】
ところで、オープンシールド機１の掘進はシールドジャッキ５を伸長だけでなく、このシールドジャッキ５を固定して中折ジャッキ４の伸長でテール部３に対してフロント部２を進めることでも行なわれ、シールドジャッキ５と中折ジャッキ４との２段階で押し進める。
【００１２】
その際、中折ジャッキ４のうち、左右いずれかを多く伸長させればフロント部２はその反対側に向きを変え、その方向に曲がる。また、上下いずれかを多く伸長させればフロント部２はその反対側に向きを変え、上向きまたは下向きに曲がる。このようにしたカーブ施工または方向修正が可能である。
【発明の開示】
【発明が解決しようとする課題】
【００１３】
前記オープンシールド工法に於いて使用されるオープンシールド機１はカーブ施工または方向修正が可能なように、矩形機体を前後方向で複数に分割し、フロント部２としての前方の機体の後端にテール部３としての後方の機体の前端が嵌入して、相互の嵌合部で屈曲可能としたものであり、このように複数に機体を分割し、これらを組み合わせるのでは、製作費が高くなり、また、操作も複雑なものとなる。
【００１４】
本発明の目的は前記従来例の不都合を解消し、直線施工のみならずカーブ施工または方向修正が可能なものであるのに、前後方向で複数に分割しない単一の機体で施工可能なもので、製作コストも安価ですみ、操作も簡易なものである簡易オープンシールド機を提供することにある。
【課題を解決するための手段】
【００１５】
前記目的を達成するため請求項１記載の本発明は、機体を前後方向で複数に分割せずに前後一体とし、先端に刃口を有する掘削部を機体前側に、函体設置部を機体後側に設け、機体側部を外側に出っ張るように湾曲させ、外側に出っ張るように湾曲させる機体側部は地山と点接触するものであり、機体内で後方へ向けてシールドジャッキを左右に配設し、シールドジャッキはオープンシールド機機体に角度可変に係合したことを要旨とするものである。
【００１６】
請求項１記載の本発明によれば、機体側部を外側に出っ張るように湾曲させたことにより、方向転換し易いものとなり、左右のシールドジャッキの伸長度合いを変えることでより長く伸ばすシールドジャッキと反対側にオープンシールド機全体の向きを変えることで、直線施工のみならずカーブ施工または方向修正が可能なものとなる。
【００１７】
また、外側に出っ張るように湾曲させる機体側部は地山と点接触することにより、方向転換がこの点接触する地山を支点として方向を変換することができる。また、直線施工する場合にもオープンシールド機は地山と機体側部は点接触するだけなので、大きな摩擦抵抗なく推進させることができる。
【００１８】
さらに、シールドジャッキはオープンシールド機機体に角度可変に係合するので、方向転換なされ、機体の向きが変わった場合でもシールドジャッキはその変化に対応して向きを変えることができる。
【００１９】
請求項２記載の本発明は、左右に配設したシールドジャッキは油圧駆動系統を個別独立させたことを要旨とするものである。
【００２０】
請求項２記載の本発明によれば、左右に配設したシールドジャッキは相互に伸長の長さを異ならせるのに個別独立させた油圧駆動系統により簡単かつ確実に行うことができる。
【発明の効果】
【００２１】
以上述べたように本発明のオープンシールド機は、直線施工のみならずカーブ施工または方向修正が可能なものであるのに、前後方向で複数に分割しない単一の機体で施工可能なもので、製作コストも安価ですみ、操作も簡易なものである。
【発明を実施するための形態】
【００２２】
以下、図面について本発明の実施の形態を詳細に説明する。図１、図２は本発明のオープンシールド機の第１実施形態を示す平面図である。
【００２３】
オープンシールド機１は前記従来例と同じく、左右の側壁板１ａ，１ｂとこれら側壁板１ａ，１ｂと同程度の長さでその間を連結する底板１ｃとからなる前面、後面及び上面を開口したシールド機である。
【００２４】
本発明のオープンシールド機１は、機体を前後方向で複数に分割せずに前後一体とし、先端に刃口１７を有する掘削部２０を機体前側に、函体設置部２１を機体後側に設けた。
【００２５】
オープンシールド機１は、機体側部を外側に出っ張るようにゆるやかなカーブαを描いて湾曲させ、地山Ａとは点接触β（もしくはわずかな幅の面接触）するようにした。
【００２６】
図中Ｂはシールド機最大幅であるが、オープンシールド機１の先端と後端とはこのシールド機最大幅Ｂに対して多少縮径するもので、前記点接触βの部分はオープンシールド機１の前後方向中央部であり、シールド機最大幅Ｂと同幅である。
【００２７】
機体内で後方へ向けてシールドジャッキ５を左右に配設した。該シールドジャッキ５はロッド５ａが函体設置部２１に突き出るように配置する。
【００２８】
前記シールドジャッキ５はオープンシールド機１の機体に角度可変に係合するものとした。
【００２９】
角度可変に係合する手段として実施形態はオープンシールド機１の機体側に設ける支圧板１８にＲ形状の係合凹部１９を設け、ここにシールドジャッキ５のシリンダーヘッドの球形頭部５ｂをこの係合凹部１９に嵌合させる。
【００３０】
さらに、シールドジャッキ５を支承するジャッキ台２２はこれを支圧板１８に設けるが、ジャッキ受部２３はこれを回転可能なターテーブル式とし、また、樋状の受けでシールドジャッキ５の上下向きの変化も拘束しないものとする。
【００３１】
図中１０はプレスバー（押角）であり、これはシールドジャッキ５のロッド５ａとはピポット的軸結合により結合する。
【００３２】
なお、左右のシールドジャッキ５はその油圧駆動系統を個別独立させることが望ましい。
【００３３】
次に使用法について説明する。オープンシールド工法の概要については、前記図７〜図１０で説明した通りである。
【００３４】
図１は直線施工時を示すもので、発進坑１１の前の地盤を地上に設置したシャベル系の掘削機で掘削し、該オープンシールド機１のシールドジャッキ５を伸長してコンクリート函体８に反力をとってオープンシールド機１を前進させる際には、左右のシールドジャッキ５は左右の伸長速度を同じものとする。
【００３５】
これによりオープンシールド機１は直線施工で掘進する。
【００３６】
図１は曲線施工時を示すもので、左右のシールドジャッキ５は左右の伸長速度を異ならせ、機体側部は地山Ａと点接触βすることにより、方向転換がこの点接触する地山Ａを支点としてシールドジャッキ５の向きを変えて掘進させることができる。
【００３７】
シールドジャッキ５はオープンシールド機１の機体に角度可変に係合するものとした場合は図３に示すようにシールドジャッキ５の向きがオープンシールド機１の機体に対して図２の直線施工とは変わるので、無理のない推進を継続することができる。
【図面の簡単な説明】
【００３８】
【図１】本発明のオープンシールド機の実施形態を示す曲線施工時の平面図である。
【図２】本発明のオープンシールド機の実施形態を示す直線施工時の部分平面図である。
【図３】曲線施工時の部分平面図である。
【図４】部分側面図である。
【図５】オープンシールド機の概要を示す縦断正面図である。
【図６】オープンシールド機の概要を示す縦断側面図である。
【図７】オープンシールド工法の第１工程を示す側面図である。
【図８】オープンシールド工法の第２工程を示す側面図である。
【図９】オープンシールド工法の第３工程を示す側面図である。
【図１０】オープンシールド工法の第４工程を示す側面図である。
【符号の説明】
【００３９】
１…オープンシールド機
１ａ，１ｂ…側壁板            １ｃ…底板
２…フロント部                ３…テール部
４…中折ジャッキ              ５…シールドジャッキ
５ａ…ロッド                  ５ｂ…球形頭部
６…可動分割刃口              ７…土留板
８…コンクリート函体          ９…ストラット
１０…プレスバー              １１…発進坑
１２…掘削機                  １３…到達坑
１４…ダンプ                  １５…グラウト機
１７…刃口                    １８…支圧板
１９…係合凹部
２０…掘削部                  ２１…函体設置部
２２…ジャッキ台              ２３…ジャッキ受部
【手続補正２】
【補正対象書類名】特許請求の範囲
【補正対象項目名】全文
【補正方法】変更
【補正の内容】
【特許請求の範囲】
【請求項１】
機体を前後方向で複数に分割せずに前後一体とし、先端に刃口を有する掘削部を機体前側に、函体設置部を機体後側に設け、機体側部を外側に出っ張るように湾曲させ、外側に出っ張るように湾曲させる機体側部は地山と点接触するものであり、機体内で後方へ向けてシールドジャッキを左右に配設し、シールドジャッキはオープンシールド機機体に角度可変に係合したことを特徴とするオープンシールド機。
【請求項２】
左右に配設したシールドジャッキは油圧駆動系統を個別独立させた請求項１記載のオープンシールド機。
【手続補正３】
【補正対象書類名】図面
【補正対象項目名】全図
【補正方法】変更
【補正の内容】
【図１】
2018053464.tif 000015
【図２】
2018053464.tif 000016
【図３】
2018053464.tif 000017
【図４】
2018053464.tif 000018
【図５】
2018053464.tif 000019
【図６】
2018053464.tif 000020
【図７】
2018053464.tif 000021
【図８】
2018053464.tif 000022
【図９】
2018053464.tif 000023
【図１０】
2018053464.tif 000024